【手続補正書】
【提出日】平成20年3月24日(2008.3.24)
【手続補正１】
【補正対象書類名】明細書
【補正対象項目名】発明の名称
【補正方法】変更
【補正の内容】
【発明の名称】ＩＣカードシステム
【手続補正２】
【補正対象書類名】明細書
【補正対象項目名】特許請求の範囲
【補正方法】変更
【補正の内容】
【特許請求の範囲】
【請求項１】  ＩＣカードが差し込まれた複数の携帯情報端末装置と広告情報を送信する広告情報送信装置とで構成されるＩＣカードシステムであって、
前記ＩＣカードは、所有者の属性情報を記憶する属性情報記憶手段を具備し、
前記携帯情報端末装置は、
外部からの前記属性情報の読み出し要求を受け取る読み出し要求受信手段と、
前記読み出し要求受信手段によって受け取った読み出し要求に対応して、前記属性情報記憶手段が記憶する所有者の属性情報を出力する属性情報出力手段と、
を具備し、
前記広告情報送信装置は、
広告情報を蓄積しておく広告情報蓄積手段と、
前記属性情報出力手段が出力した前記所有者の属性情報を受信する属性情報受信手段と、
前記属性情報受信手段が受信した属性情報に基づいて前記所有者に適した広告情報を前記広告情報蓄積手段が蓄積する広告情報の中から選択する広告情報選択手段と、
この選択した広告情報を出力する広告情報送信手段と、
を具備することを特徴とするＩＣカードシステム。
【請求項２】  前記携帯情報端末装置は、前記属性情報出力手段が出力した属性情報の履歴を記憶する出力履歴記憶手段を、更に有することを特徴とする請求項１項記載のＩＣカードシステム。
【請求項３】  前記広告情報送信装置が具備する属性情報受信手段は、前記複数の携帯情報端末装置が具備する前記属性情報出力手段が出力した複数の属性情報を受信して、数の多い属性情報を有効情報とすると共に、
前記前記広告情報送信装置が具備する広告情報選択手段は、この有効情報に適した広告情報を前記広告情報蓄積手段が蓄積する広告情報の中から選択し、
さらにＩＣカードシステムは、この選択した広告情報を表示する情報表示装置を有することを特徴とする請求項１項記載のＩＣカードシステム。
【請求項４】  前記携帯情報端末装置はＩＣカード定期券であって、前記要求受信手段が前記属性情報の読み出し要求を受け取るのは、前記ＩＣカード定期券の所有者が改札口を通過する時であり、前記属性情報出力手段が前記ＩＣカード定期券の所有者の属性情報を出力するのは、駅構内で前記属性情報の読み出しを要求する装置との通信が可能となっている時であることを特徴とする請求項１項記載のＩＣカードシステム。
【請求項５】  前記携帯情報端末装置はＩＣカードと連係した状態にある携帯電話であることを特徴とする請求項１項記載のＩＣカードシステム。
【手続補正３】
【補正対象書類名】明細書
【補正対象項目名】０００１
【補正方法】変更
【補正の内容】
【０００１】
【発明の属する技術分野】
本発明は、ＩＣカードシステムに関する。
【手続補正４】
【補正対象書類名】明細書
【補正対象項目名】０００５
【補正方法】変更
【補正の内容】
【０００５】
【課題を解決するための手段】
本発明によるＩＣカードシステムは、ＩＣカードが差し込まれた複数の携帯情報端末装置と広告情報を送信する広告情報送信装置とで構成されるＩＣカードシステムであって、 前記ＩＣカードは、所有者の属性情報を記憶する属性情報記憶手段を具備し、前記携帯情報端末装置は、外部からの前記属性情報の読み出し要求を受け取る読み出し要求受信手段と、前記読み出し要求受信手段によって受け取った読み出し要求に対応して、前記属性情報記憶手段が記憶する所有者の属性情報を出力する属性情報出力手段と、を具備し、前記広告情報送信装置は、広告情報を蓄積しておく広告情報蓄積手段と、前記属性情報出力手段が出力した前記所有者の属性情報を受信する属性情報受信手段と、前記属性情報受信手段が受信した属性情報に基づいて前記所有者に適した広告情報を前記広告情報蓄積手段が蓄積する広告情報の中から選択する広告情報選択手段と、この選択した広告情報を出力する広告情報送信手段と、を具備することを特徴とするＩＣカードシステムである。
【手続補正５】
【補正対象書類名】明細書
【補正対象項目名】０００６
【補正方法】削除
【補正の内容】
【手続補正６】
【補正対象書類名】明細書
【補正対象項目名】０００７
【補正方法】変更
【補正の内容】
【０００７】
また、前記携帯情報端末装置は、前記属性情報出力手段が出力した属性情報の履歴を記憶する出力履歴記憶手段を、更に有することを特徴とする。
【手続補正７】
【補正対象書類名】明細書
【補正対象項目名】０００８
【補正方法】削除
【補正の内容】
【手続補正８】
【補正対象書類名】明細書
【補正対象項目名】０００９
【補正方法】削除
【補正の内容】
【手続補正９】
【補正対象書類名】明細書
【補正対象項目名】００１０
【補正方法】変更
【補正の内容】
【００１０】
また、前記広告情報送信装置が具備する属性情報受信手段は、前記複数の携帯情報端末装置が具備する前記属性情報出力手段が出力した複数の属性情報を受信して、数の多い属性情報を有効情報とすると共に、前記前記広告情報送信装置が具備する広告情報選択手段は、この有効情報に適した広告情報を前記広告情報蓄積手段が蓄積する広告情報の中から選択し、さらにＩＣカードシステムは、この選択した広告情報を表示する情報表示装置を有することを特徴とする。
【手続補正１０】
【補正対象書類名】明細書
【補正対象項目名】００１１
【補正方法】削除
【補正の内容】
【手続補正１１】
【補正対象書類名】明細書
【補正対象項目名】００１２
【補正方法】削除
【補正の内容】
【手続補正１２】
【補正対象書類名】明細書
【補正対象項目名】００１３
【補正方法】削除
【補正の内容】
【手続補正１３】
【補正対象書類名】明細書
【補正対象項目名】００１４
【補正方法】変更
【補正の内容】
【００１４】
また、前記携帯情報端末装置はＩＣカード定期券であって、前記要求受信手段が前記属性情報の読み出し要求を受け取るのは、前記ＩＣカード定期券の所有者が改札口を通過する時であり、前記属性情報出力手段が前記ＩＣカード定期券の所有者の属性情報を出力するのは、駅構内で前記属性情報の読み出しを要求する装置との通信が可能となっている時であることを特徴とする。
【手続補正１４】
【補正対象書類名】明細書
【補正対象項目名】００１５
【補正方法】変更
【補正の内容】
【００１５】
また、前記携帯情報端末装置はＩＣカードと連係した状態にある携帯電話であることを特徴とする。
【手続補正１５】
【補正対象書類名】明細書
【補正対象項目名】００１６
【補正方法】削除
【補正の内容】
【手続補正１６】
【補正対象書類名】明細書
【補正対象項目名】００１７
【補正方法】削除
【補正の内容】
【手続補正１７】
【補正対象書類名】明細書
【補正対象項目名】００１８
【補正方法】削除
【補正の内容】
【手続補正１８】
【補正対象書類名】明細書
【補正対象項目名】００１９
【補正方法】削除
【補正の内容】
【手続補正１９】
【補正対象書類名】明細書
【補正対象項目名】００２０
【補正方法】削除
【補正の内容】
【手続補正２０】
【補正対象書類名】明細書
【補正対象項目名】００２１
【補正方法】削除
【補正の内容】
【手続補正２１】
【補正対象書類名】明細書
【補正対象項目名】００２２
【補正方法】削除
【補正の内容】
【手続補正２２】
【補正対象書類名】明細書
【補正対象項目名】００２３
【補正方法】削除
【補正の内容】
【手続補正２３】
【補正対象書類名】明細書
【補正対象項目名】００２４
【補正方法】削除
【補正の内容】
【手続補正２４】
【補正対象書類名】明細書
【補正対象項目名】００２６
【補正方法】変更
【補正の内容】
【００２６】
まず、本発明の実施形態について説明する。
【手続補正２５】
【補正対象書類名】明細書
【補正対象項目名】００２７
【補正方法】変更
【補正の内容】
【００２７】
本発明の実施形態は、属性情報（年齢、性別、住居区域、勤務地など）に基づいて乗客に適した広告等の情報を提供するものである。
【手続補正２６】
【補正対象書類名】明細書
【補正対象項目名】００３４
【補正方法】変更
【補正の内容】
【００３４】
次に、本発明の実施形態の第１の変形例について説明する。
【手続補正２７】
【補正対象書類名】明細書
【補正対象項目名】００３５
【補正方法】変更
【補正の内容】
【００３５】
本発明の実施形態の第１の変形例は、上述した形態以外に、改札口以外でデータのやり取りを行う形態である。本発明の実施形態は、ＩＣカード定期券１５内に属性情報を記憶している実施形態であるが、乗客が改札口を通過する時間は１、２秒程度と、とても短いものである。よって、本発明の実施形態のように改札口を通過する間に、属性情報と広告情報の受け渡しを実現するには高速の転送速度が必要となってしまい、システムの要求的にもコストがかかることが考えられる。
【手続補正２８】
【補正対象書類名】明細書
【補正対象項目名】００３６
【補正方法】変更
【補正の内容】
【００３６】
そこで、本発明の実施形態の第１の変形例を示した。図２では、改札口通過のタイミング以外で属性情報と広告情報の受け渡しを行う実施形態である。
【手続補正２９】
【補正対象書類名】明細書
【補正対象項目名】００３９
【補正方法】変更
【補正の内容】
【００３９】
また、本発明の実施形態の第１の変形例では、駅を施設として乗客や利用者に提供することも考えられる。例えば、本屋や美容室、構内ＡＴＭを利用する際にも、ＩＣカード定期券３７とその属性情報等を用いることきにより、キャッシュレスで、しかも、属性情報を把握していることにより、利用者のニーズに応じたサービスを提供することができる。
【手続補正３０】
【補正対象書類名】明細書
【補正対象項目名】００４０
【補正方法】変更
【補正の内容】
【００４０】
次に、本発明の実施形態の第２の変形例について説明する。
【手続補正３１】
【補正対象書類名】明細書
【補正対象項目名】００４１
【補正方法】変更
【補正の内容】
【００４１】
本発明の実施形態の第２の変形例は、車両内に表示部を設置し、乗り合わせた乗客の多数派の乗客に適した広告情報を提供するものである。
【手続補正３２】
【補正対象書類名】明細書
【補正対象項目名】００４４
【補正方法】変更
【補正の内容】
【００４４】
次に、本発明の参考例について説明する。
【手続補正３３】
【補正対象書類名】明細書
【補正対象項目名】００４５
【補正方法】変更
【補正の内容】
【００４５】
本発明の参考例は、上述した属性情報を利用して乗客を対象としたアンケートを行うものである。
【手続補正３４】
【補正対象書類名】明細書
【補正対象項目名】００４６
【補正方法】変更
【補正の内容】
【００４６】
本発明の参考例の上述した実施形態との違いは、以下のとおりである。
図４に示すように、ＩＣカード定期券５０は、上述した実施形態と同様に、属性情報メモリ５１、定期券情報５２、制御部５３、送受信部５６、そして、アンケートの設問に回答するための入力手段５４を有している。これは、例えば、ＹＥＳ、ＮＯの２つのスイッチでも良く、液晶のタッチパネルや音声入力等でもよい。また、設問を表示するための表示部５５を有している。ただし、上述した図３のように、車両内に設置される表示部を用いることが可能であれば、ＩＣカード定期券に表示部は不要である。
【手続補正３５】
【補正対象書類名】明細書
【補正対象項目名】００４８
【補正方法】変更
【補正の内容】
【００４８】
次に、本発明の参考例の第１の変形例について説明する。
【手続補正３６】
【補正対象書類名】明細書
【補正対象項目名】００４９
【補正方法】変更
【補正の内容】
【００４９】
本発明の参考例の第１の変形例は、上述した属性情報の代りにＩＤ情報を記憶するＩＣカード定期券の場合の例である。
【手続補正３７】
【補正対象書類名】明細書
【補正対象項目名】００５０
【補正方法】変更
【補正の内容】
【００５０】
図５は、属性情報の代りにＩＤ情報を記憶するＩＣカード定期券を利用してアンケート調査を行うシステムに関する例である。図４との違いは、以下のとおりである。
【手続補正３８】
【補正対象書類名】明細書
【補正対象項目名】００５１
【補正方法】変更
【補正の内容】
【００５１】
図５に示すように、本発明の参考例の第１の変形例は、ＩＣカード定期券７０が属性情報を保持していないため、属性情報を得ることができないので、属性情報はデータサーバから受信する。このデータサーバを介してＩＤ情報から属性情報を得る。図４と同様に、ＩＣカード定期券７０には、表示部７５、制御部７３、及び定期券情報７２が備えられており、そして、ＩＤ情報メモリ７１にＩＤ情報を記憶する。前記アンケート集計装置８４から読み出し要求がＩＣカード定期券７０に送られる。そして、読み出し要求を受けたＩＣカード定期券７０は、ＩＤ情報メモリ７１からＩＤ情報を読み出して送受信部７６から送信する。送信されたＩＤ情報はデータサーバに送られる。ここで、データサーバの構成は、図２のデータサーバ３１と同様の構成を有する。即ち、データサーバは、ＩＤ情報と、読み出し要求信号を受け取ると、ＩＤ情報に対応した属性情報を送信する。図５においては、データサーバが送信した属性情報は、アンケート集計装置８４の属性情報受信部８２が受信する。なお、アンケート集計装置８４が車両内の任意の場所に配置されているものとする。このアンケート集計装置８４は、属性情報受信部８２を備え、設問情報記憶部７８に蓄積された設問をＩＣカード定期券７０に対してアンケートの設問を送信する送受信部７９と、前記ＩＣカード定期券７０から送信されてきた回答情報を受信し判断する回答情報判断部８０及び、制御部８１を有する。そして、アンケート集計部８３で、これら受信した属性情報と回答情報からアンケートの集計を行う。
【手続補正３９】
【補正対象書類名】明細書
【補正対象項目名】００５２
【補正方法】変更
【補正の内容】
【００５２】
次に、本発明の参考例の第２の変形例について説明する。
【手続補正４０】
【補正対象書類名】明細書
【補正対象項目名】００５３
【補正方法】変更
【補正の内容】
【００５３】
本発明の参考例の第２の変形例は、車両内に表示部を設置し、乗り合わせた乗客の多数派に適した設問情報を提供するものである。
【手続補正４１】
【補正対象書類名】明細書
【補正対象項目名】００５６
【補正方法】変更
【補正の内容】
【００５６】
次に、本発明の第２の参考例について説明する。
【手続補正４２】
【補正対象書類名】明細書
【補正対象項目名】００５７
【補正方法】変更
【補正の内容】
【００５７】
本発明の第２の参考例は、窓口サービスの実施形態である。
【手続補正４３】
【補正対象書類名】明細書
【補正対象項目名】００５８
【補正方法】変更
【補正の内容】
【００５８】
図８では、乗客が改札口から入り、その後乗車して目的地に到着し改札口を出るまでに要する時間を利用して、乗客が所望する各種サービスを提供することに適したシステムについての例を説明している。即ち、一般にサービス利用者とそのサービスを提供するシステムとの関係において、利用者がシステムに対する要求を提示することと、その要求に沿ってシステムが利用者にサービスを提供することは、待ち時間なくほぼ同時に、連続的に行われることが望まれる。そのため利用者に快適な使用感を提供するには、非常に高速な処理機能が要求されたり、逆に提供されるサービスを簡略化するなど、価格性能比の点で十分なシステムは提供できなかったが、本参考例では、乗客が改札口から入る時点において、ＩＣカード定期券に予め書きこまれた依頼ＩＤ情報をデータサーバに送り、そのデータサーバ内において依頼ＩＤ情報と関連付けられた依頼内容情報へと変換し、依頼処理装置においてその依頼内容に則した出力を改札口から出る際に直接あるいは窓口にて乗客が受け取ることができるので、依頼内容の実行に十分な時間を費やしても乗客には不要な待ち時間として認識されない。即ち、比較的低速な処理機能を持つシステムであっても、利用者に必要十分な利用環境を提供することが可能となる。また、前記依頼処理装置としては、電子掲示板やメーリングリスト、ガイドサイト（特定の分野に詳しい個人、もしくは企業が運営するサイト）等に利用される処理装置でも良い。
【手続補正４４】
【補正対象書類名】明細書
【補正対象項目名】００６０
【補正方法】変更
【補正の内容】
【００６０】
以上、ＩＣカード定期券を用いた実施形態及び参考例について説明してきたが、ＩＣカードそのものでなくとも、ＩＣが差し込まれた携帯情報端末装置、あるいは、ＩＣカード内の情報を転送して格納した携帯情報端末装置でも、同様の作用効果を奏することができる。もちろん、上記携帯情報端末装置のようにＩＣカードと連係した状態にある携帯電話を代わりに用いても同様の作用効果を奏することができる。また、属性情報に関しては、実施形態及び参考例で述べてきたような「年齢、性別、住居区域、勤務地など」の個人情報以外の情報を使うことも可能である。例えば、ＩＣカード定期券の所有者に対して行ったサービスに関する情報（例えば、特定の広告の配信回数、特定のアンケートを配信したか否か）を属性情報として用いても良い。このようなサービスに関する情報を属性情報として扱うことで、例えば、同じ広告を広告主が希望する回数以上ＩＣカード定期券の所有者に配信することを防止でき、広告配信回数に応じた課金請求を広告主にすることも可能となる。また、アンケートの重複回答も防げるので、アンケート結果の信頼性を高めることができる。更に、ＩＣカード定期券の所有者が利用する改札装置は、ほぼ毎日、同じ乗車駅と降車駅の改札装置である。そこで、実施形態の第１の変形例（図２）のように、ＩＣカード定期券内にＩＤ情報を持ち属性情報を持たない場合、初めて改札装置を通過した際にデータサーバから読み出した属性情報を、この改札装置内に記憶しておく。そうすれば、次回通過時、わざわざデ一夕サーバヘの参照作業や選択作業を行わずに改札装置内で直ちにＩＤ情報から属性情報を得ることができる。更に、ＩＣカード定期券の所有者が改札装置を通過する際、毎回同じ情報（例えば、電車の時刻表や運行状況）の入手を希望するのであれば、わざわざ属性情報に基づいて配信する情報を選択せずとも、予めＩＤ情報と毎回配信する情報種類を組にして例えば改札装置内に記憶しておく。そうすれば、改札装置通過時、わざわざデータサーバへの参照作業や選択作業を行わずに改札装置内で直ちにＩＤ情報から毎回配信すべき情報を得ることができる。
【手続補正４５】
【補正対象書類名】明細書
【補正対象項目名】００６１
【補正方法】変更
【補正の内容】
【００６１】
【発明の効果】
本発明のＩＣカードシステムによれば、ＩＣカードが差し込まれた携帯情報端末装置の利用者に関する属性情報（年齢、性別、住居区域、勤務地など）に基づいて利用者に適した広告等の情報を提供することができる。
【手続補正４６】
【補正対象書類名】明細書
【補正対象項目名】図１
【補正方法】変更
【補正の内容】
【図１】
本発明の実施形態に係るブロック図。
【手続補正４７】
【補正対象書類名】明細書
【補正対象項目名】図２
【補正方法】変更
【補正の内容】
【図２】
本発明の実施形態の第１の変形例に係るブロック図。
【手続補正４８】
【補正対象書類名】明細書
【補正対象項目名】図３
【補正方法】変更
【補正の内容】
【図３】
本発明の実施形態の第２の変形例に係るブロック図。
【手続補正４９】
【補正対象書類名】明細書
【補正対象項目名】図４
【補正方法】変更
【補正の内容】
【図４】
本発明の参考例に係るブロック図。
【手続補正５０】
【補正対象書類名】明細書
【補正対象項目名】図５
【補正方法】変更
【補正の内容】
【図５】
本発明の参考例の第１の変形例に係るブロック図。
【手続補正５１】
【補正対象書類名】明細書
【補正対象項目名】図６
【補正方法】変更
【補正の内容】
【図６】
本発明の参考例の第２の変形例に係るブロック図。
【手続補正５２】
【補正対象書類名】明細書
【補正対象項目名】図７
【補正方法】変更
【補正の内容】
【図７】
本発明の実施形態に係る模式図。
【手続補正５３】
【補正対象書類名】明細書
【補正対象項目名】図８
【補正方法】変更
【補正の内容】
【図８】
本発明の第２の参考例に係るブロック図。